(57)【要約】      （修正有）【課題】マッサージ効果の良いマッサージ装置を提供する。【解決手段】マッサージ装置１００は、支持部材とマッサージ機構４０を備え、支持部材は、底台２１を備え、底台２１には、ペダルが設置され、マッサージ機構４０は、マッサージ駆動部４１及び２つのマッサージ部４３を備え、マッサージ部４３は、支持本体及び複数のボールを備え、２つのマッサージ部４３の支持本体は、間隙をあけて回転可能に底台２１の内部に設置され、支持本体には、複数の係合溝が設けられ、各ボールは、回転可能に係合溝に設置され、且つ一部分が係合溝とペダルから突出し、マッサージ駆動部４１は、底台２１の内部に設置されて、２つの支持本体を駆動して回転させる。マッサージ装置１００は、マッサージ駆動部４１により支持本体を駆動して回転させ、且つ同時にボールが係合溝内部で足の動きによって活動されるため、マッサージの効果が良い。【選択図】図７
0003227934.tif 000002
【実用新案登録請求の範囲】
【請求項１】
支持部材とマッサージ機構を備えるマッサージ装置であって、
前記支持部材は、底台を備え、前記底台には、ペダルが設置され、
前記マッサージ機構は、マッサージ駆動部及び２つのマッサージ部を備え、
前記マッサージ部は、支持本体及び複数のボールを備え、
２つの前記マッサージ部の支持本体は、間隙をあけて回転可能に前記底台の内部に設置され、前記支持本体には、複数の係合溝が設けられ、各前記ボールは、回転可能に前記係合溝に設置され、且つ一部分が前記係合溝と前記ペダルから突出し、前記マッサージ駆動部は、前記底台の内部に設置されて、２つの前記支持本体を駆動して回転させて、前記ボールは、前記ペダルに載置されたマッサージ待機中の対象に付勢することを特徴とするマッサージ装置。
【請求項２】
前記マッサージ駆動部は、回転駆動部、能動ギア、２つの従動ギア、２つの接続ギア及び２つの駆動ギアを備え、
前記回転駆動部は、前記底台に設置され、前記能動ギアは、前記回転駆動部に設置され、前記従動ギアと前記接続ギアは、同軸で回転可能に前記底台に設置され、前記駆動ギアは、回転可能に前記底台に設置され、且つ前記支持本体は、前記駆動ギアに設置され、前記能動ギアは、それぞれ２つの前記従動ギアに噛み合い、各前記接続ギアは、対応する１つの前記駆動ギアに噛み合い、前記回転駆動部は、前記能動ギアを駆動して回転させることを特徴とする請求項１に記載のマッサージ装置。
【請求項３】
前記マッサージ装置は、さらに暖房機構を備え、前記暖房機構は、送風部及び加熱部を備え、
前記支持部材は、さらに前記底台の一側に設置されたカバー部を備え、前記カバー部には、吸込口が開設され、
前記カバー部は、第一支持部及び第二支持部を備え、
前記第一支持部は、前記底台と前記第二支持部を接続し、
前記第二支持部は、前記ペダルと対向するように配置され、
前記第一支持部及び前記第二支持部のそれぞれにおける前記ペダルに向かい、或いは近づく一側には、吹出口が開設され、
前記送風部は、前記吸込口から入って前記加熱部により加熱された空気を前記吹出口から吹出する位置に配置されることを特徴とする請求項１に記載のマッサージ装置。
【請求項４】
前記マッサージ装置は、さらに分流子を備え、
前記分流子は、前記第一支持部及び前記第二支持部のそれぞれに開設された前記吹出口からの風量を調節するための位置に配置されることを特徴とする請求項３に記載のマッサージ装置。
【請求項５】
前記分流子は、ストッパ板、及び前記ストッパ板に設置された調節部を備え、
前記調節部は、シャフト、弾性部、保持部、調節ダイヤル及びつまみを備え、
前記シャフトは、回転可能に前記カバー部に配置され、
前記ストッパ板及び前記つまみは、それぞれ回転停止するように前記シャフトの両端に設置され、且つ、前記つまみが前記カバー部の外部に設置され、
前記調節ダイヤルは、前記カバー部に配置され、
前記調節ダイヤルは、周方向に沿って複数の位置決め孔が開設され、
前記ストッパ板は、収容溝が設けられ、
前記保持部は、スライド可能に前記収容溝に設置され、
前記弾性部は、前記収容溝に設置され、前記保持部と当接して前記保持部を前記位置決め孔に係入させることを特徴とする請求項４に記載のマッサージ装置。
【請求項６】
前記カバー部と前記底台が囲んで第一キャビティを形成し、
前記支持部材は、さらに導風カバーを備え、
前記導風カバーは、前記第一キャビティ内に部に設置され、
前記導風カバー内部に第二キャビティが設けられ、
前記第一キャビティは、前記吸込口及び前記第二キャビティのそれぞれと連通し、
前記第二キャビティは、前記吹出口と連通し、
前記送風部及び前記加熱部は、前記第二キャビティ内に設置されることを特徴とする請求項３に記載のマッサージ装置。
【請求項７】
前記導風カバーは、互いに接続する送風カバー及び吹出カバーを備え、
前記送風部には、第三キャビティが設けられ、
前記吹出カバーには、第四キャビティが設けられ、
前記第三キャビティ及び前記第四キャビティは、前記第二キャビティを形成し、
２つの前記吹出口は、前記第四キャビティと連通し、
前記送風部は、前記第三キャビティ内部に設置され、
前記吹出カバーには、熱風口が設けられて、前記第三キャビティ及び第四キャビティと連通させ、
前記加熱部は、前記熱風口に設置して、前記第四キャビティに入った気流を加熱することを特徴とする請求項６に記載のマッサージ装置。
【請求項８】
前記マッサージ装置は、さらにコントローラ、センサ、及びスイッチを備え、前記コントローラは、前記支持部材に設置され、且つ前記ペダルの上方に位置し、
前記スイッチは、前記支持部材に設置され、且つ前記マッサージ駆動部に電気的に接続し、
前記センサは、前記支持部材における前記ペダルに向かう一側に設置され、前記センサは、それぞれ前記スイッチ及び前記コントローラに電気的に接続し、
前記センサがマッサージ待機中の対象を検知した場合、前記コントローラへフィードバックし、前記コントローラは、前記スイッチの作動と停止を制御することを特徴とする請求項１に記載のマッサージ装置。
【請求項９】
前記マッサージ装置は、さらにイオン発生機を備え、前記イオン発生機は、前記支持部材の内部に設置されることを特徴とする請求項１に記載のマッサージ装置。
【請求項１０】
前記マッサージ装置は、さらにトレイ部材を備え、
前記トレイ部材は、トレイ及び前記トレイの両側に設置されたホルダーを備え、
２つの前記ホルダーは、それぞれ前記底台の両側に係合されて、
前記トレイが前記ペダルの上方に位置し、
前記トレイにおける前記ペダルから離れる一側には、収納溝が設けられることを特徴とする請求項１に記載のマッサージ装置。
【考案の詳細な説明】
【技術分野】
【０００１】
本考案は、マッサージ装置に関するものである。
【背景技術】
【０００２】
従来技術の足のマッサージ機は、一般に、表面には、固定されたマッサージ突起部、或いは回転可能なローラーが設置され、電気または足の動きで突起部を移動し、或いはローラーを動かし、足裏をマッサージする目的を達成するために、このような足裏のマッサージ装置は、マッサージ効果が悪い。
【考案の概要】
【考案が解決しようとする課題】
【０００３】
以上の問題点に鑑みて、マッサージ装置を提供する。
【課題を解決するための手段】
【０００４】
詳しくは、マッサージ装置は、支持部材とマッサージ機構を備え、支持部材は、底台を備え、底台には、ペダルが設置され、マッサージ機構は、マッサージ駆動部及び２つのマッサージ部を備え、マッサージ部は、支持本体及び複数のボールを備え、２つのマッサージ部の支持本体は、間隙をあけて回転可能に底台の内部に設置され、支持本体には、複数の係合溝が設けられ、各ボールは、回転可能に係合溝に設置され、且つ一部分が係合溝とペダルから突出し、マッサージ駆動部は、底台の内部に設置されて、２つの支持本体を駆動して回転させて、ボールは、ペダルに載置されたマッサージ待機中の対象に付勢する。
【０００５】
詳しくは、マッサージ装置は、マッサージ駆動部は、回転駆動部、能動ギア、２つの従動ギア、２つの接続ギア及び２つの駆動ギアを備え、回転駆動部は、底台に設置され、能動ギアは、回転駆動部に設置され、従動ギアと接続ギアは、同軸で回転可能に底台に設置され、駆動ギアは、回転可能に底台に設置され、且つ支持本体は、駆動ギアに設置され、能動ギアは、それぞれ２つの従動ギアに噛み合い、各接続ギアは、対応する１つの駆動ギアに噛み合い、回転駆動部は、能動ギアを駆動して回転させる。
【０００６】
詳しくは、マッサージ装置は、さらに暖房機構を備え、暖房機構は、送風部及び加熱部を備え、支持部材は、さらに底台の一側に設置されたカバー部を備え、カバー部には、吸込口が開設され、カバー部は、第一支持部及び第二支持部を備え、第一支持部は、底台と第二支持部を接続し、第二支持部は、ペダルと対向するように配置され、第一支持部及び第二支持部のそれぞれにおけるペダルに向かい、或いは近づく一側には、吹出口が開設され、送風部は、吸込口から入って加熱部により加熱された空気を吹出口から吹出する位置に配置される。
【０００７】
詳しくは、マッサージ装置は、さらに分流子を備え、分流子は、第一支持部及び第二支持部のそれぞれに開設された吹出口からの風量を調節するための位置に配置される。
【０００８】
詳しくは、分流子は、ストッパ板、及びストッパ板に設置された調節部を備え、調節部は、シャフト、弾性部、保持部、調節ダイヤル及びつまみを備え、シャフトは、回転可能にカバー部に配置され、ストッパ板及びつまみは、それぞれ回転停止するようにシャフトの両端に設置され、且つ、つまみがカバー部の外部に設置され、調節ダイヤルは、カバー部に配置され、調節ダイヤルは、周方向に沿って複数の位置決め孔が開設され、ストッパ板は、収容溝が設けられ、保持部は、スライド可能に収容溝に設置され、弾性部は、収容溝に設置され、保持部と当接して保持部を位置決め孔に係入させる。
【０００９】
詳しくは、カバー部と底台が囲んで第一キャビティを形成し、支持部材は、さらに導風カバーを備え、導風カバーは、第一キャビティ内に部に設置され、導風カバー内部に第二キャビティが設けられ、第一キャビティは、吸込口及び第二キャビティのそれぞれと連通し、第二キャビティは、吹出口と連通し、送風部及び加熱部は、第二キャビティ内に設置される。
【００１０】
詳しくは、導風カバーは、互いに接続する送風カバー及び吹出カバーを備え、送風部には、第三キャビティが設けられ、吹出カバーには、第四キャビティが設けられ、第三キャビティ及び第四キャビティは、第二キャビティを形成し、２つの吹出口は、第四キャビティと連通し、送風部は、第三キャビティ内部に設置され、吹出カバーには、熱風口が設けられて、第三キャビティ及び第四キャビティと連通させ、加熱部は、熱風口に設置して、第四キャビティに入った気流を加熱する。
【００１１】
詳しくは、マッサージ装置は、さらにコントローラ、センサ、及びスイッチを備え、コントローラは、支持部材に設置され、且つペダルの上方に位置し、スイッチは、支持部材に設置され、且つマッサージ駆動部に電気的に接続し、センサは、支持部材におけるペダルに向かう一側に設置され、センサは、それぞれスイッチ及びコントローラに電気的に接続し、センサがマッサージ待機中の対象を検知した場合、コントローラへフィードバックし、コントローラは、スイッチの作動と停止を制御する。
【００１２】
詳しくは、マッサージ装置は、さらにイオン発生機を備え、イオン発生機は、支持部材の内部に設置される。
【００１３】
詳しくは、マッサージ装置は、さらにトレイ部材を備え、トレイ部材は、トレイ及びトレイの両側に設置されたホルダーを備え、２つのホルダーは、それぞれ底台の両側に係合されて、トレイがペダルの上方に位置し、トレイにおけるペダルから離れる一側には、収納溝が設けられる。
【考案の効果】
【００１４】
マッサージ装置は、ペダルを配置してマッサージ待機中の対象を載置して、ペダルの掃除に便利である。マッサージ駆動部を設置して、支持本体を駆動して回転させ、且つ同時にボールが係合溝の内部で足の動きによって活動されるため、マッサージの効果が良い。
【図面の簡単な説明】
【００１５】
【図１】図１は、本考案の実施形態におけるマッサージ装置の概略斜視図である。
【図２】図２は、図１に示すマッサージ装置の別の視点からの概略斜視図である。
【図３】図３は、図１に示すマッサージ装置の概略分解斜視図である。
【図４】図４は、図１に示すマッサージ装置から第二分割カバー及び蓋部を取り外した状態の概略斜視図である。
【図５】図５は、図４に示すマッサージ装置がシャフトの軸線に沿った部分断面図である。
【図６】図６は、図１に示すマッサージ装置から前面カバー、上部カバー、及びベースカバーを取り外した状態の概略斜視図である。
【図７】図７は、図１に示すマッサージ装置内部の空気の流れを表す概略図である。
【考案を実施するための形態】
【００１６】
ここで説明される図面は本考案を更に理解するためのものであって、本願の一部となり、本考案の模式的な実施例及びその説明は本考案を解釈するためのものであり、本考案を制限するためのものではない。本考案の実施例に基づき、当業者が創造的な労働を必要とせずに得られる他の実施例は、いずれも本考案の保護範囲に属する。
【００１７】
なお、一方の部材が他方の部材に「接続」されると見なされる場合、他方の部材に直接接続されてもよいし、同時に介在される部材が存在する可能性もある。一方の部材が他方の部材に「配置」されると見なされる場合、他方の部材に直接配置されてもよいし、同時に介在される部材が存在する可能性もある。
【００１８】
特に定義しない限り、本明細書に使用されるすべての技術用語及び科学用語は本考案の技術分野に属する当業者が一般に理解する意味と同じである。本明細書において、本考案の明細書に使用される用語は具体的な実施例を説明するためのものであり、本考案を制限するためのものではない。
【００１９】
図１から図２、及び図５を併せて参照すると、マッサージ装置１００は、スイッチ１０、支持部材２０、暖房機構３０及びマッサージ機構４０を備える。暖房機構３０とマッサージ機構４０は、それぞれスイッチ１０と接続する。支持部材２０は、底台２１と、底台の一側に設置されたカバー部２３を備える。底台２１には、ペダル２１３１が設けられている。カバー部２３には、ペダル２１３１に向かって少なくとも１つの吹出口２０３、２０４が設置されている。カバー部２３には、吸込口２０５が開設される。暖房機構３０は、送風部３１及び加熱部３３を備える。加熱部３３は、支持部材２０の内部に設置され、且つ送風部３１と吹出口２０３、吹出口２０４との間に位置する。送風部３１は、吸込口２０５から入った空気が加熱部３３により加熱された後、吹出口２０３、２０４から吹出する位置に配置される。マッサージ機構４０は、マッサージ駆動部４１、２つのマッサージ部４３を備える。マッサージ部４３は、支持本体４３１、複数のボール４３３を備える。２つのマッサージ部４３の支持本体４３１は、間隙をあけて回転可能に底台２１内部に設置される。実施例において、各マッサージ部４３のボール４３３の数は、３つであり、これに限定されない。支持本体４３１には、複数の係合溝４３１１が設けられている。各ボール４３３は、回転可能に対応する係合溝４３１１に設置され、一部が係合溝４３１１とペダル２１３１から突出している。マッサージ駆動部４１は、底台２１の内部に設置され、且つ２つの支持本体４３１を駆動して回転させる。ほかの実施例において、暖房機構３０を省略することもできる。
【００２０】
図３及び図６を併せて参照すると、マッサージ駆動部４１は、回転駆動部４１１、能動ギア４１３、２つの従動ギア４１５、２つの接続ギア４１７、及び２つの駆動ギア４１９を備える。回転駆動部４１１は、底台２１に設置される。能動ギア４１３は、回転駆動部４１１に設置される。従動ギア４１５と接続ギア４１７は、同軸で回転可能に底台２１に設置される。駆動ギア４１９は、回転可能に底台２１に設置され、且つ支持本体４３１は、駆動ギア４１９に設置される。能動ギア４１３は、それぞれ２つの従動ギア４１５に噛み合う。各接続ギア４１７は、対応する１つの駆動ギア４１９に噛み合う。回転駆動部４１１は、能動ギア４１３を駆動して回転させて、２つの駆動ギア４１９と対応する支持本体４３１を連動して回転させる。ほかの実施例において、マッサージ駆動部４１は、ベルト伝送モジュールでもよい。
【００２１】
図１及び図２を併せて参照すると、カバー部２３は、第一支持部２０１及び第二支持部２０２を備える。第一支持部２０１は、底台２１の一側に設置される。第二支持部２０２は、第一支持部２０１におけるペダル２１３１に向かっている一側に位置される。吹出口の数は、２つ（吹出口２０３及び吹出口２０４）である。吹出口２０３は、第一支持部２０１におけるペダル２１３１に向かっている一側に設置され、吹出口２０４は、第二支持部２０２におけるペダル２１３１に向かっている一側に設置される。
【００２２】
実施例において、加熱部３３は、ＰＴＣ（Ｐｏｓｉｔｉｖｅ  Ｔｅｍｐｅｒａｔｕｒｅ  Ｃｏｅｆｆｉｃｉｅｎｔ）加熱器であるが、これに限定されない。ほかの実施例において、加熱部３３は、抵抗線などの加熱構造でもよい。
【００２３】
図２、図３及び図７を併せて参照すると、底台２１は、ベース体２１１及びベースカバー２１３を備える。ベースカバー２１３は、ベース体２１１に配置される。ペダル２１３１は、ベースカバー２１３におけるベース体２１１から離れる一側に配置される。ペダル２１３１は、行列状の複数の突起部２１３３が設けられる。カバー部２３と底台２１が囲んで第一キャビティ２０６を形成する。カバー部２３は、前面カバー２３１、後面カバー２３３及び上部カバー２３５を備える。前面カバー２３１及び後面カバー２３３は、互いに対向するようにベース体２１１に配置される。前面カバー２３１は、後面カバー２３３におけるペダル２１３１に向かう一側に位置する。後面カバー２３３は、互いに接続する第一後面カバー体２３３１及び第二後面カバー体２３３３を備える。第一後面カバー体２３３１は、ベース体２１１に設けられる。第二後面カバー体２３３３は、第一後面カバー体２３３１におけるペダル２１３１に向かって延長した一側に位置する。前面カバー２３１は、互いに接続する第一前面カバー体２３１１及び第二前面カバー体２３１３を備える。第一前面カバー体２３１１は、第一後面カバー体２３３１と接続して第一支持部２０１を形成する。第二前面カバー体２３１３は、第一前面カバー体２３１１におけるペダル２１３１に向かって延長した一側に位置する。上部カバー２３５は、第二前面カバー体２３１３及び第二後面カバー体２３３３とそれぞれ接続して第二支持部２０２を形成する。
【００２４】
図２を参照すると、後面カバー２３３の一部の壁が凹んで持手部２３３５を形成して収脱し易くなる。ほかの実施例において、持手部２３３５は、取手でもよいし、或いは持手部２３３５を省略してもよい。
【００２５】
図２及び図３を併せて参照すると、支持部材２０は、さらにフィルタ２７を備える。フィルタ２７の両側には、濾過口２７１が設けられる。フィルタ２７は、吸込口２０５に配置され、濾過口２７１は、吸込口２０５と連通する。ほかの実施例において、フィルタ２７を省略してもよい。
【００２６】
図３、図４及び図７を併せて参照すると、支持部材２０は、さらに導風カバー２５を備える。導風カバー２５は、第一キャビティ２０６内に設けられる。導風カバー２５内部には、第二キャビティ２５１が設けられる。第一キャビティ２０６は、吸込口２０５及び第二キャビティ２５１とそれぞれ連通する。第二キャビティ２５１は、吹出口２０３及び吹出口２０４と連通する。送風部３１及び加熱部３３は、第二キャビティ２５１内に設置される。詳しくは、導風カバー２５は、互いに接続する送風カバー２５３及び吹出カバー２５５を備える。送風部３１には、第三キャビティ２５３１が設けられる。吹出カバー２５５には、第四キャビティ２５５１が設けられる。第三キャビティ２５３１及び第四キャビティ２５５１は、第二キャビティ２５１を形成する。吹出口２０３及び吹出口２０４は、第四キャビティ２５５１と連通する。送風部３１は、第三キャビティ２５３１内に設置される。吹出カバー２５５は、熱風口２５５３が設けられて、第三キャビティ２５３１と第四キャビティ２５５１が連通する。加熱部３３は、熱風口２５５３に設けられて、第四キャビティ２５５１に入った気流を加熱し、加熱された気流が吹出口２０３及び吹出口２０４から吹出してペダル２１３１に載置した対象を加熱し、対象は、人の足、靴、或いはほかの乾燥待機中の物である。
【００２７】
図３及び図４を併せて参照すると、送風カバー２５３は、座部２５３３及び蓋部２５３５を備える。座部２５３３は、ベース体２１１に配置される。蓋部２５３５は、座部２５３３をカバーするように配置して第三キャビティ２５３１を形成する。吹出カバー２５５は、第一分割カバー２５５５及び第二分割カバー２５５７を備える。第一分割カバー２５５５は、前面カバー２３１に配置される。第二分割カバー２５５７は、第一分割カバー２５５５及び蓋部２５３５のそれぞれと接続して第四キャビティ２５５１及び熱風口２５５３を形成する。
【００２８】
図３及び図４を併せて参照すると、送風部３１は、送風駆動部３１１及びファン３１３を備える。ファン３１３は、キャリア３１３１及び複数のファンブレード３１３５を備える。キャリア３１３１は、円柱構造を呈する。キャリア３１３１は、ベース体２１１に回転可能に配置される。複数のファンブレード３１３５は、周方向に沿って均一にキャリア３１３１に配置される。送風カバー２５３の両側には、吸込み口２５３７が設けられ、吸込み口２５３７は、第三キャビティ２５３１及び第一キャビティ２０６を連通させ、吸込み口２５３７は、キャリア３１３１の内腔と対向する。送風駆動部３１１は、ベース体２１１に設置されて、キャリア３１３１が周方向に沿って回転するように駆動する。ファン３１３が回転して気流がキャリア３１３１の内腔から外部に向かって流れる。ほかの実施例において、送風部３１は、ほかのファン３１３の構造でもよい。
【００２９】
図１、図４から図７を併せて参照すると、暖房機構３０は、さらに分流子３５を備える。分流子３５は、第一支持部２０１及び第二支持部２０２の吹出口２０３、２０４からの風量を調節するための位置に配置される。詳しくは、分流子３５は、ストッパ板３５１及びストッパ板３５１に設置された調節部３５３を備える。ストッパ板３５１は、回転可能に第二キャビティ２５１内に配置され、加熱部３３の一側に位置する。ストッパ板３５１は、吹出口２０３及び吹出口２０４をそれぞれストッパ板３５１の両側に位置させる。ストッパ板３５１が回転されて異なる角度になって、吹出口２０３及び吹出口２０４の風量を調節する。調節部３５３は、導風カバー２５に配置され、ストッパ板３５１の回転角度を調節した後に、ストッパ板３５１を固定する。
【００３０】
詳しくは、調節部３５３は、シャフト３５３１、弾性部３５３２、保持部３５３５、調節ダイヤル３５３３及びつまみ３５３６を備える。シャフト３５３１は、回転可能に導風カバー２５に配置される。ストッパ板３５１及びつまみ３５３６は、それぞれ回転停止するようにシャフト３５３１の両端に設置される。つまみ３５３６は、導風カバー２５の外部に設置されて人手で調節することができる。調節ダイヤル３５３３は、導風カバー２５に配置される。調節ダイヤル３５３３は、周方向に沿って複数の位置決め孔３５３４が開設される。ストッパ板３５１には、収容溝３５１１が設けられる。保持部３５３５は、スライド可能に収容溝３５１１に設置される。弾性部３５３２は、収容溝３５１１に設置されて、保持部３５３５と当接して保持部３５３５を位置決め孔３５３４に係入させる。保持部３５３５は、異なる位置決め孔３５３４に係入して、ストッパ板３５１を異なる角度に位置決めて、加熱後の気流がストッパ板３５１の両側からそれぞれ吹出口２０３及び吹出口２０４に流れる。
【００３１】
ほかの実施例において、暖房機構３０は、さらに２つの分流子３５を備える。２つの分流子３５のそれぞれも回転可能に導風カバー２５に配置され、それぞれ対応する吹出口２０３及び吹出口２０４に位置して、それぞれ独立に吹出口２０３及び吹出口２０４の風量を調節する。
【００３２】
図１及び図３を併せて参照すると、マッサージ装置は、さらにトレイ部材５０を備える。トレイ部材５０は、トレイ５１、及びトレイ５１の両側に設置されたホルダー５３を備える。２つのホルダー５３は、トレイ５１がペダル２１３１の上方に位置するようにそれぞれ底台２１の両側に係合される。トレイ５１におけるペダル２１３１から離れる一側には、収納溝５１１が設けられる。靴、或いはほかのものを乾燥する場合、トレイ部材５０を底台２１に取り付ける。足を温める場合、トレイ部材５０を取り外す。ほかの実施例において、トレイ部材５０も省略できる。
【００３３】
図１及び図６を併せて参照すると、マッサージ装置１００は、さらにコントローラ６０を備える。コントローラ６０は、上部カバー２３５に設置される。コントローラ６０は、マッサージ駆動部４１、加熱部３３及び送風部３１と電気的に接続される。コントローラ６０は、加熱部３３の加熱温度の調節及び送風部３１の風量の調節を制御する。コントローラ６０には、コントロールパネル６１が配置されており、使用者がコントロールパネル６１によって風量及び温度を調節する。
【００３４】
図１を参照すると、マッサージ装置１００は、さらにセンサ７０を備える。センサ７０は、前面カバー２３１におけるペダル２１３１に向かう一側に配置される。センサ７０は、スイッチ１０及びコントローラ６０とそれぞれ電気的に接続される。センサ７０は、マッサージ待機中の対象が検知された際、コントローラ６０へフィードバックし、コントローラ６０がスイッチ１０の作動と停止を制御する。ほかの実施例において、センサ７０を省略してもよい。使用者は、コントロールパネル６１によってセンサ７０を利用して加熱対象を検知するかどうかを選択して制御を執行する。
【００３５】
図３を参照すると、マッサージ装置１００は、さらにイオン発生機８０を備える。イオン発生機８０は、支持部材２０内に設置される。イオン発生機８０は、高圧直流を利用して空気分子をイオン化し、最終的により多くのマイナスイオンを得て、マッサージ装置１００の抗菌機能を実現する。ほかの実施例において、イオン発生機８０を省略してもよい。
【００３６】
ほかの実施例において、分流子３５は、流量制御弁でもよいし、コントローラ６０と電気的に接続されてもよい。コントローラ６０は、分流子３５を制御して吹出口２０３及び吹出口２０４の風量を調節する。
【００３７】
実施例において、マッサージ装置１００は、足を温める機能、抗菌機能、靴を乾燥する機能、マッサージ機能との４つの機能を実現する。使用者は、コントロールパネル６１によって機能を選択する。マッサージ装置１００は、抗菌機能、足を温める機能/靴を乾燥する機能、マッサージ機能から２つの機能、或いは３つの機能を同時に行うこともできる。
【００３８】
図１及び図３を併せて参照すると、吹出口２０３及び吹出口２０４は、それぞれ複数のルーバ２３１５が設置されている。ルーバ２３１５を回転させて風の方向を変更する。第一支持部２０１に設置された吹出口２０３の風の方向と水平方向との間のなす角度αの範囲は、８°〜１２°或いは４５°〜６０°であり、第二支持部２０２の吹出口２０４風の方向と水平方向との間のなす角度βの範囲は、３１°〜３６°であるが、これに限定されない。実施例において、マッサージ装置１００が靴を乾燥する機能を実行する場合、角度αの範囲は、８°〜１２°であり、熱風が靴の開け口から内部に吹き込まれる。マッサージ装置１００が足を温める機能を実行する場合、角度αの範囲は、４５°〜６０°である。
【００３９】
マッサージ装置１００は、ペダル２１３１を配置してマッサージ待機中の対象を載置して、ペダル２１３１の掃除に便利である。マッサージ駆動部４１を設置して、支持本体４３１を駆動して回転させ、且つ同時にボール４３３が係合溝４３１１内部で足の動きによって活動されるため、マッサージの効果が良い。
【００４０】
また、当業者であれば、本考案の趣旨の範囲内で他の変更も可能であり、本考案の趣旨に沿った変更は本考案の請求の範囲に含まれることは言うまでもない。
【符号の説明】
【００４１】
１００  マッサージ装置
１０  スイッチ
２０  支持部材
２１  底台
２１１  ベース体
２１３  ベースカバー
２１３１  ペダル
２１３３  突起部
２３  カバー部
２０１  第一支持部
２０２  第二支持部
２０３、２０４  吹出口
２０５  吸込口
２０６  第一キャビティ
２３１  前面カバー
２３１１  第一前面カバー体
２３１３  第二前面カバー体
２３１５  ルーバ
２３３  後面カバー
２３３１  第一後面カバー体
２３３３  第二後面カバー体
２３３５  持手部
２３５  上部カバー
２５  導風カバー
２５１  第二キャビティ
２５３  送風カバー
２５３１  第三キャビティ
２５３３  座部
２５３５  蓋部
２５３７  吸込み口
２５５  吹出カバー
２５５１  第四キャビティ
２５５３  熱風口
２５５５  第一分割カバー
２５５７  第二分割カバー
２７  フィルタ
２７１  濾過口
３０  暖房機構
３１  送風部
３１１  送風駆動部
３１３  ファン
３１３１  キャリア
３１３５  ファンブレード
３３  加熱部
３５  分流子
３５１  ストッパ板
３５１１  収容溝
３５３  調節部
３５３１  シャフト
３５３２  弾性部
３５３３  調節ダイヤル
３５３４  位置決め孔
３５３５  保持部
３５３６  つまみ
４０  マッサージ機構
４１  マッサージ駆動部
４１１  回転駆動部
４１３  能動ギア
４１５  従動ギア
４１７  接続ギア
４１９  駆動ギア
４３  マッサージ部
４３１  支持本体
４３１１  係合溝
４３３  ボール
５０  トレイ部材
５１  トレイ
５１１  収納溝
５３  ホルダー
６０  コントローラ
６１  コントロールパネル
７０  センサ
８０  イオン発生機  
【図１】
0003227934.tif 000003
【図２】
0003227934.tif 000004
【図３】
0003227934.tif 000005
【図４】
0003227934.tif 000006
【図５】
0003227934.tif 000007
【図６】
0003227934.tif 000008
【図７】
0003227934.tif 000009